(57)【要約】      （修正有）【課題】簡単な構成で、顧客の肌を傷めずに簡易に瞼に接着でき、短時間で正確にまつ毛にパーマネントを施すことが可能なまつ毛パーマ用ロッドを提供する。【解決手段】まつ毛にパーマネントを施すためのまつ毛パーマ用ロッド１であり、瞼に接着される面Ａ及びまつ毛を固定する面Ｂを有するロッド本体１０を含み、ロッド本体１０は、軟質素材から一体成形され、瞼に接着される面Ａ及びまつ毛を固定する面Ｂに、粘着剤２０を有する構成である。ロッド本体１０は、上瞼及び下瞼に沿う形状であり、軟質素材は、軟質樹脂または軟質ゴムである。粘着剤２０は、ポリビニルアルコール粘着剤である。【選択図】図３
0003235170.tif 000002
【実用新案登録請求の範囲】
【請求項１】
まつ毛にパーマネントを施すためのまつ毛パーマ用ロッドであり、
瞼に接着される面及びまつ毛を固定する面を有するロッド本体を含み、
前記ロッド本体は、
軟質素材から一体成形され、
前記瞼に接着される面及び前記まつ毛を固定する面に、
粘着剤を有する構成であることを特徴とするまつ毛パーマ用ロッド。
【請求項２】
前記ロッド本体は、上瞼及び下瞼に沿う形状であることを特徴とする請求項１に記載のまつ毛パーマ用ロッド。
【請求項３】
前記軟質素材は、軟質樹脂または軟質ゴムであることを特徴とする請求項１に記載のまつ毛パーマ用ロッド。
【請求項４】
前記粘着剤は、ポリビニルアルコール粘着剤であることを特徴とする請求項１に記載のまつ毛パーマ用ロッド。
【考案の詳細な説明】
【技術分野】
【０００１】
この考案は、まつ毛にパーマネントを施すためのまつ毛パーマ用ロッドに関する。
【背景技術】
【０００２】
特に女性のメイクにおいては、顔立をはっきりさせるために、他人に自分の目を大きく見せるようにすることが重要である。そのためには、まつ毛を上向きにさせることが効果的であり、従来では、一般的にビューラーを用いてまつ毛を上向きにさせ、目を大きく見せるようにしていた。ところで、ビューラーは、単にまつ毛に癖をつけるだけのものであることから、時間が経つにつれてもとの状態に戻ってしまい、人によっては日に何度も直すような手間があった。そこで、近年では、頭髪に施すパーマネントをまつ毛にも施すようになってきた。
【０００３】
一般に、まつ毛にパーマネントを施す際には、まつ毛パーマ用ロッドが用いられている。例えば、特開平２００２−５８５２３号公報に開示されるまつ毛パーマ用ロッドのように、板状の基部と基部の一端に形成されたロッド部とを備え、その材質に軟質樹脂を用いているものがある。
【０００４】
このまつ毛パーマ用ロッドを用いてパーマネントを施すには、まずまつ毛パーマ用ロッドの瞼に接着される面に粘着剤を塗布して瞼に接着し、次いで、まつ毛を固定する面に粘着剤を塗布し、まつ毛を曲げるようにして粘着剤によって固定し、パーマ液を使ってまつ毛をカールさせて、まつ毛にパーマネントを施している。
【先行技術文献】
【特許文献】
【０００５】
【特許文献１】特開平２００２−５８５２３号公報
【考案の概要】
【考案が解決しようとする課題】
【０００６】
このように、まつ毛にパーマネントを施す際には、まず、まつ毛パーマ用ロッドの瞼に接着される面に粘着剤を塗布して瞼に接着し、次いで、まつ毛を固定する面に粘着剤を塗布し、まつ毛を曲げるようにして粘着剤によって固定するため、２度も粘着剤を塗布する必要があり、手数を要し、時間がかかるとともに、正確に粘着剤を塗布することができないなどの問題がある。
【０００７】
この考案は、かかる課題に鑑みてなされたもので、簡単な構成で、顧客の肌を傷めずに簡易に瞼に接着でき、短時間で正確にまつ毛にパーマネントを施すことが可能なまつ毛パーマ用ロッドを提供することを目的とする。
【課題を解決するための手段】
【０００８】
前記課題を解決し、かつ目的を達成するために、この考案は、以下のように構成した。      
【０００９】
請求項１の記載の考案は、まつ毛にパーマネントを施すためのまつ毛パーマ用ロッドであり、
瞼に接着される面及びまつ毛を固定する面を有するロッド本体を含み、
前記ロッド本体は、
軟質素材から一体成形され、
前記瞼に接着される面及び前記まつ毛を固定する面に、
粘着剤を有する構成であることを特徴とするまつ毛パーマ用ロッドである。
【００１０】
請求項２の記載の考案は、前記ロッド本体は、上瞼及び下瞼に沿う形状であることを特徴とする請求項１に記載のまつ毛パーマ用ロッドである。
【００１１】
請求項３の記載の考案は、前記軟質素材は、軟質樹脂または軟質ゴムであることを特徴とする請求項１に記載のまつ毛パーマ用ロッドである。
【００１２】
請求項４の記載の考案は、前記粘着剤は、ポリビニルアルコール粘着剤であることを特徴とする請求項１に記載のまつ毛パーマ用ロッドである。
【考案の効果】
【００１３】
前記構成により、この考案は、以下のような効果を有する。
【００１４】
請求項１乃至請求項４に記載の考案では、瞼に接着される面及びまつ毛を固定する面を有するロッド本体を含み、ロッド本体は、軟質素材から一体成形され、瞼に接着される面及びまつ毛を固定する面に、粘着剤を有する構成であることで、簡単な構成で、顧客の肌を傷めずに簡易に瞼に接着でき、短時間で正確にまつ毛にパーマネントを施すことが可能である。
【図面の簡単な説明】
【００１５】
【図１】まつ毛パーマ用ロッドの正面図である。
【図２】まつ毛パーマ用ロッドの平面図である。
【図３】まつ毛パーマ用ロッドの断面図である。
【図４】まつ毛パーマ用ロッドの断面形状を示す断面図である。
【図５】使用状態を説明するための顔正面から見た説明図である。
【図６】使用状態を説明するための顔側面から見た一部断面を含む説明図である。
【考案を実施するための形態】
【００１６】
以下、この考案のまつ毛パーマ用ロッドの実施の形態について説明する。この実施の形態は、まつ毛パーマ用ロッドの好ましい形態を示すものであるが、この考案はこれに限定されない。
【００１７】
［まつ毛パーマ用ロッドの構成］
このまつ毛パーマ用ロッドの実施の形態を、図１乃至図３に基づいて説明する。図１はまつ毛パーマ用ロッドの正面図、図２はまつ毛パーマ用ロッドの平面図、図３はまつ毛パーマ用ロッドの断面図である。
【００１８】
この実施の形態のまつ毛パーマ用ロッド１は、まつ毛にパーマネントを施すためのものであり、瞼に接着される面及びまつ毛を固定する面を有するロッド本体１０を含む。このロッド本体１０は、軟質素材から一体成形され、板状の薄肉部１１と、薄肉部１１の一端に形成されるカール部１２と、を有する構成である。
【００１９】
軟質素材として、軟質樹脂または軟質ゴムが用いられる。軟質樹脂としては、例えばＡＢＳ（アクリロニトリル・ブタジエン・スチレン樹脂）、ＰＳ（ポリスチレン樹脂）、ＰＥ（ポリエチレン樹脂）、ＰＰ（ポリプロプレン樹脂）、ＡＳ（アクリロニトリル・スチレン樹脂）、ＰＣ（ポリカーボネート樹脂）、ＰＭＭＡ（アクリル樹脂）、ＰＡ（ポリアミド樹脂）、ＰＰＳ（ポリフェニレンスルフィド樹脂）などがある。軟質ゴムとしては、例えば天然ゴム、  ＮＲ、  合成天然ゴム、イソプレンゴム、ＩＲ、ブタジェンゴム、ＢＲ、スチレン・ブタジェンゴム、  ＳＢＲ、ブチルゴム、ＩＩＲ、ニトリルゴム、ＮＢＲ、エチレン・プロピレンゴム、クロロプレンゴム、アクリルゴムなどがある。軟質素材としては、シリコーン素材またはゴム素材が好ましく用いられる。
【００２０】
ロッド本体１０は、板状の薄肉部１１と、薄肉部１１の一端に形成されるカール部１２と、を有する構成であり、薄肉部１１及びカール部１２は、上瞼及び下瞼に沿う形状である。薄肉部１１及びカール部１２は、一方の面が瞼に接着される面Ａであり、一方の面がまつ毛を固定する面Ｂである。
【００２１】
瞼に接着される面Ａ及びまつ毛を固定する面Ｂは、粘着剤２０を有し、粘着剤２０は、瞼に接着される面Ａ及びまつ毛を固定する面Ｂの全面に設けているが、それぞれの面の一部に設けてもよい。
【００２２】
粘着剤２０は、半固形で粘性を持っていることにより、わずかな圧力を加えただけで貼り付け面へ接着することができるという特徴を有する。粘着剤２０としては、ポリビニルアルコール  （ｐｏｌｙｖｉｎｙｌ  ａｌｃｏｈｏｌ）  が好ましく、親水性が非常に強く、温水に可溶という特徴を持つが、これに限定されない。
【００２３】
粘着剤としては、アクリル系粘着剤、シリコーン粘着剤、ウレタン粘着剤、ゴム系粘着剤の４種類がある。アクリル系粘着剤は、アクリルポリマーからなる粘着剤であり、シリコーン粘着剤は、シロキサン結合を主骨格にもつポリマーからなる粘着剤であり、ウレタン粘着剤は、イソシアネート基とヒドロキシ基をもつ化合物同士を縮合し得られるポリウレタンからなる粘着剤であり、ゴム系粘着剤は、粘着性、接着性が良好である。
【００２４】
［まつ毛パーマ用ロッドの断面形状］
まつ毛パーマ用ロッドは、図４に示す断面形状のものにも実施することができる。図４は図３と同様な位置の断面図である。図４（ａ）は直角気味のカールであり、二重に適する。図４（ｂ）はかまぼこ型のカールであり、一重にも対応する。図４（ｃ）は弓型のカールであり、二重に適する。図４（ｄ）は丸型のカールであり、一重にも適する。図４（ｅ）は弓型のカールよりの立ち上げカールであり、図４（ｆ）は根元からしっかり立ち上げカールであり、図４（ｇ）は根元からストレート気味に立ち上がり弓型のカールのような毛先のカールであり、図４（ｈ）は立ち上げ後かまぼこ型のカールのような毛先のカールであり、一重から二重までの目元に対応できる。
【００２５】
［まつ毛パーマ用ロッドの使用］
まつ毛パーマ用ロッドは、図５及び図６に示されるように使用される。図５は使用状態を説明するための顔正面から見た説明図、図６は使用状態を説明するための顔側面から見た一部断面を含む説明図である。
【００２６】
パーマネントを施す際には、先ず、まつ毛パーマ用ロッド１を、瞼３０に接着、固定させるが、ロッド本体１０の瞼に接着される面Ａは、粘着剤２０を有するから、瞼３０の所定の位置にロッド本体１０を当てがい、薄肉部１１とカール部１２を、そのまま瞼３０に押し当てて接着、固定させることができる。
【００２７】
また、ロッド本体１０のカール部１２は、まつ毛３１の生え際３２に沿うように接着、固定されるようになる。さらに、立体的にもりあがり生え際３２が曲線状となり、瞼３０に難なくフィットしつつ接着、固定されるようになる。
【００２８】
次に、カール部１２を跨いでまつ毛３１を曲げ、まつ毛３１の先端側を、薄肉部１１の方向へ向けて薄肉部１１のまつ毛固定面Ａに設けた接着剤２０に押し当てて接着、固定させる。この時、目頭や目尻の比較的短いまつ毛３１であっても、その先端側がまつ毛固定面Ｂの接着剤２０に接着、固定されるようになる。
【００２９】
そして、ロッド本体１０のカール部１２の先端から薄肉部１１側にかけてパーマ液を塗布すれば、まつ毛３１全体にパーマネントが施される。パーマネントは、ロッド本体１０のカール部１２の形状によって確実且つバランスよく施される。パーマ液を塗布する際には、薄肉部１１にそのパーマ液が垂れることがあっても瞼３０に付着することはない。言い換えれば、熟練した者がパーマ液を塗布する必要はない。
【００３０】
パーマ液を塗布して、所定時間経過すれば、まつ毛３１全体にパーマネントが施されるから、まつ毛パーマ用ロッド１を、瞼３０から取り外すと共に、まつ毛３１から取り外すが、粘着剤２０によって瞼３０及びまつ毛３１は、ロッド本体１０に粘着しているから容易に取り外すことができる。
【００３１】
図５及び図６は上瞼にパーマネントを施す使用状態を示したが、下瞼にも同様にしてパーマネントを施すことができる。
【００３２】
このように、瞼に接着される面Ａ及びまつ毛を固定する面Ｂを有するロッド本体１０を含み、ロッド本体１０は、軟質素材から一体成形され、瞼に接着される面Ａ及びまつ毛を固定する面Ｂに粘着剤２０を有する構成であることで、まつ毛３１にパーマネントを施す際に、粘着剤を塗布する必要がなく、簡単な構成で、短時間で正確にまつ毛にパーマネントを施すことが可能である。
【産業上の利用可能性】
【００３３】
この考案は、まつ毛にパーマネントを施すためのまつ毛パーマ用ロッドに適用され、簡単な構成で、顧客の肌を傷めずに簡易に瞼に接着でき、短時間で正確にまつ毛にパーマネントを施すことが可能である。
【符号の説明】
【００３４】
１  まつ毛パーマ用ロッド
１０  ロッド本体
１１  薄肉部
１２  カール部
２０  粘着剤
Ａ  瞼に接着される面
Ｂ  まつ毛を固定する面
【図１】
0003235170.tif 000003
【図２】
0003235170.tif 000004
【図３】
0003235170.tif 000005
【図４】
0003235170.tif 000006
【図５】
0003235170.tif 000007
【図６】
0003235170.tif 000008